(57)【特許請求の範囲】
【請求項１】
円筒状支柱の外周面に、上下方向に並ぶ複数列の係止孔を、円周方向に離間させて設け、その１列の係止孔に、被取付部材が固着された第１の係止部材に設けた係止爪を係合し、かつ他の列の係止孔に、第２の係止部材に設けた係止爪を係合するとともに、前記第１、第２の係止部材に、前記各係止爪に対して側方に突出する係合片を設け、両係合片の遊端部に設けた係合部同士を互いに係合させることにより、前記第１、第２の係止部材を互いに連結したことを特徴とする円筒状支柱への被取付部材の連結構造。
【請求項２】
複数列の係止孔を、円周方向にほぼ９０°ずつ離間させて支柱の外周面に設けるとともに、第１及び第２の係止部材を、一側端に係止爪を、かつ他側端に係合部をそれぞれ有する平面視Ｌ字状をなすものとし、第１、第２の係止部材の係止爪を、隣接する２列の係止孔に係合することにより、両係止部材の係合部同士を直交状に係合させてなる請求項１記載の円筒状支柱への被取付部材の連結構造。
【請求項３】
円筒状支柱の外周面に、上下方向に並ぶ複数列の係止孔を、円周方向にほぼ９０°ずつ離間させて設け、被取付部材が固着された平面視Ｌ字状をなす第１及び第２の係止部材における一側端に設けた係止爪を、前記支柱の対向する２列の係止孔に係合するとともに、それら２列の係止孔の間の係止孔に、両側端に係合部を有する連結部材の中央部に突設した係止爪を係合し、かつ前記第１、第２の係止部材における前記支柱より連結部材に向かって延出する他側端に設けた係合部と連結部材の両側端の係合部とを、互いに直交状に係合させたことを特徴とする円筒状支柱への被取付部材の連結構造。
【請求項４】
互いに係合し合う第１、第２の係止部材の係合部同士、または第１、第２の係止部材の係合部と、それに係合する連結部材の係合部とを、それぞれ上下反対方向を向くとともに、上方または下方が開口するスリット状の係合溝としてなる請求項１〜３のいずれかに記載の円筒状支柱への被取付部材の連結構造。
【請求項５】
被取付部材を水平な支持杆とし、その両端を、互いに離間する支柱の対向面の係止孔に係合した第１及び第２の係止部材に固着してなる請求項１〜４のいずれかに記載の円筒状支柱への被取付部材の連結構造。
【請求項６】
複数の支柱の相互間に、上下１対ずつの支持杆を、各支持杆の端部を請求項１〜５のいずれかに記載の連結構造をもって、各支柱に連結することにより架設し、さらに、各支持杆に、防護パネルの一側面の上下部に設けた取付金具を係止して、防護パネルを各支柱間に取り付けたことを特徴とする安全柵。
【発明の詳細な説明】
【０００１】
【発明の属する技術分野】
本発明は、例えば工場等において危険区域に妄りに立ち入るのを防止するために設置される安全柵等における円筒状支柱に、防護パネルを支持する支持杆等を連結する連結構造、及びその連結構造を用いた安全柵に関する。
【０００２】
【従来の技術】
複数の支柱の対向面間に、防護パネルを取付けてなる安全柵は公知である。
このような安全棚の中には、防護パネルの取付強度を大とするために、その両側端を、支柱に直に溶接して固定しているものがある。
【０００３】
しかし、防護パネルを溶接により支柱に取付けると、分解ができないため、運搬や他の場所への移動等が不便であり、また、異なる幅の防護パネルごとに、複数種の安全柵を製作して保管しておかなければならず、大きな保管場所を要するとともに、在庫管理等も面倒となる。
【０００４】
このような問題を解消するものとして、例えば支柱と防護パネルとを、ブラケットを介して、ねじで固定するようにした安全柵が提案されている（例えば特開平６−２４８８３２号公報参照）。
【０００５】
【発明が解決しようとする課題】
しかし、上述したねじにより防護パネルを取付けるようにした安全柵においては、多くのねじを、工具を用いて締付けたり、取外したりする必要があるため、組立や分解作業が面倒である。
【０００６】
本発明は、上記問題点に鑑みてなされたもので、溶接やねじによることなく、被取付部材を、支柱に、簡単かつ強固に固定しうるようにした、円筒状支柱への被取付部材の連結構造、及びそれを用いた安全柵を提供することを目的としている。
【０００７】
【課題を解決するための手段】
本発明によると、上記課題は、次のようにして解決される。
（１）円筒状支柱への被取付部材の連絡構造において、円筒状支柱の外周面に、上下方向に並ぶ複数列の係止孔を、円周方向に離間させて設け、その１列の係止孔に、被取付部材が固着された第１の係止部材に設けた係止爪を係合し、かつ他の列の係止孔に、第２の係止部材に設けた係止爪を係合するとともに、前記第１、第２の係止部材に、前記各係止爪に対して側方に突出する係合片を設け、両係合片の遊端部に設けた係合部同士を互いに係合させることにより、前記第１、第２の係止部材を互いに連結する。
【０００８】
（２）上記(１)項において、複数列の係止孔を、円周方向にほぼ９０°ずつ離間させて支柱の外周面に設けるとともに、第１及び第２の係止部材を、一側端に係止爪を、かつ他側端に係合部をそれぞれ有する平面視Ｌ字状をなすものとし、第１、第２の係止部材の係止爪を、隣接する２列の係止孔に係合することにより、両係止部材の係合部同士を直交状に係合させる。
【０００９】
（３）円筒状支柱への被取付部材の連絡構造において、円筒状支柱の外周面に、上下方向に並ぶ複数列の係止孔を、円周方向にほぼ９０°ずつ離間させて設け、被取付部材が固着された平面視Ｌ字状をなす第１及び第２の係止部材における一側端に設けた係止爪を、前記支柱の対向する２列の係止孔に係合するとともに、それら２列の係止孔の間の係止孔に、両側端に係合部を有する連結部材の中央部に突設した係止爪を係合し、かつ前記第１、第２の係止部材における前記支柱より連結部材に向かって延出する他側端に設けた係合部と連結部材の両側端の係合部とを、互いに直交状に係合させる。
【００１０】
（４）上記(１)〜(３)項のいずれかにおいて、互いに係合し合う第１、第２の係止部材の係合部同士、または第１、第２の係止部材の係合部と、それに係合する連結部材の係合部とを、それぞれ上下反対方向を向くとともに、上方または下方が開口するスリット状の係合溝とする。
【００１１】
（５）上記(１)〜(４)項のいずれかにおいて、被取付部材を水平な支持杆とし、その両端を、互いに離間する支柱の対向面の係止孔に係合した第１及び第２の係止部材に固着する。
【００１２】
（６）安全柵において、複数の支柱の相互間に、上下１対ずつの支持杆を、各支持杆の端部を上記(１)〜(５)項のいずれかに記載の連結構造をもって、各支柱に連結することにより架設し、さらに、各支持杆に、防護パネルの一側面の上下部に設けた取付金具を係止して、防護パネルを各支柱間に取り付ける。
【００１３】
【発明の実施の形態】
以下、本発明の実施形態を、図面に基づいて説明する。
図１は、本発明の第１の実施形態である安全柵の斜視図、図２は、防護パネルと中央の支柱との連結部の横断平面図、図３は、同じく分解斜視図である。
【００１４】
安全柵(１)は、鋼管等よりなる３本の円筒形の支柱(２)間に、同形状の２枚の防護パネル(３)(３)を、平面視Ｌ字状に取付けて構成されている。
【００１５】
各支柱(２)の外周面には、上下方向に並ぶ４列のスリット状の係止孔(４)が、円周方向に９０°ずつ離間させて穿設されている。
【００１６】
各支柱(２)の下端には、高さ調節用のアジャスタ(５)が取付けられ、また上端の開口部は、キャップ(６)により閉塞されている。
【００１７】
防護パネル(３)は、金属板よりなる縦長の枠状フレーム(７)の開口部に、金網状の防護ネット(８)を張設して形成され、その上下寸法は、支柱(２)よりも若干短寸とされている。
【００１８】
各防護パネル(３)における枠状フレーム(７)の内面の四隅部には、側面視クランク状に折曲された取付金具(９)の上向片(9a)が、溶接により固着され、その水平片(9b)と下向片(9c)とが、両端が後記する係止金具(11)に固着された水平の金属パイプ状のパネル支持杆(10)に、上方より係止して保持されるようになっている。
【００１９】
各パネル支持杆(10)の左端には、第１の係止部材である係止金具(11)が、同じく右端には、第２の係止部材である係止金具(11)が、それぞれ溶接により固着されている。両係止金具(11)は、パネル支持杆(10)と直交する方向を向く長寸の係合片(11a)と、パネル支持杆(10)と平行をなしてパネル支持杆(10)から離れる方向を向く短寸の係合片(11b)とにより、平面視Ｌ字状に形成されている。
【００２０】
第１の係止部材である図３における右方の係止金具(11)における長寸の係合片(11a)の側端部には、上方が開口するスリット状の係合溝(12)が形成され、また、第２の係止部材である図３における左方の係止金具(11)における長寸の係合片(11a)の側端部には、下方が開口するスリット状の係合溝(13)が形成され、両係合溝(12)(13)により、第１及び第２の係止部材である両係止金具(11)(11)の相互の係合部が形成されている。
【００２１】
各係止金具(11)における短寸の係合片(11b)の側端には、支柱(２)の上下方向に並ぶ係止孔(４)に係合可能な下向鉤状の３個の係止爪(14)が、一体的に形成されている。
【００２２】
上記第１の実施形態が適用された安全柵は、次のようにして組立てられる。
【００２３】
まず、中央と右方の支柱(２)(２)における対向する１列の係止孔(４)の上端部と下端部とに、右側の上下のパネル支持杆(10)の左端に固着した第１の係止部材である係止金具(11)の係止爪(14)と、同じく右端に固着した第２の係止部材である係止金具(11)の係止爪(14)とをそれぞれ係合することにより、右方の両支柱(２)の上下の対向面間にパネル支持杆(10)を水平に架設する。
【００２４】
ついで、中央の支柱(２)における先に係合した係止孔(４)の列に隣接する係止孔(４)の列と、左方の支柱(２)における中央の支柱(２)と対向する係止孔(４)の列との上端部と下端部とに、左側の上下のパネル支持杆(10)の右端に固着した第２の係止部材である係止金具(11)の係止爪(14)と、同じく左端に固着した第１の係止部材である係止金具(11)の係止爪(14)とをそれぞれ係合することにより、左方の両支柱(２)の上下の対向面間にパネル支持杆(10)を水平に架設すると同時に、中央の支柱(２)に先に係合した第１の係止部材である係止金具(11)の上向きの係合溝(12)に、同じく後から係合した第２の係止部材である係止金具(11)の下向きの係合溝(13)を、上方より直交状に係合させる。これにより、中央の支柱(２)に対する左右のパネル支持杆(10)の水平方向のぐらつきを互いに阻止することができる。
【００２５】
ついで、左右の外側の支柱(２)(２)における先に係合した係止孔(４)と隣接する内方の係止孔(４)に、パネル支持杆(10)を固着していない単体の第２及び第１の係止部材である係止金具(11)における係止爪(14)を係合させると同時に、その係合溝(13)(12)を、先に係合した係止金具(11)における係合溝(12)(13)に、直交状に係合させる。
【００２６】
なお、右端の支柱(２)には、この第１の係止部材である単体の係止金具(11)を予め係合しておき、パネル支持杆(10)を固着した第２の係止部材である係止金具(11)を右端の支柱(２)に係合させるのと同時に、その下向きの係合溝(13)を、予め装着しておいた単体の係止金具(11)における上向きの係合溝(12)に係合させるようにするのが好ましい。
【００２７】
これにより、上下の各パネル支持杆(10)は、中央と左右の支柱(２)の対向面間に強固に連結される。
【００２８】
ついで、上下の各パネル支持杆(10)に、防護パネル(３)の内面に固着した取付金具(９)を上方より落とし込んで係止することにより、平面視Ｌ字形の安全柵(１)が組立てられる。
【００２９】
図４及び図５は、本発明の第２の実施形態を示すもので、上記と同じ構造の防護パネル(３)(３)を、中央の支柱(２)に直列状に取付けた例を示している。
【００３０】
この際、中央の支柱(２)に対するパネル支持杆(10)の連結には、両側端の中央部に、係合部をなす上方が開口する係合溝(15)と下方が開口する係合溝(16)を備える垂直平板状の係合基片(17a)と、その外面に溶接により垂直に固着され、先端に支柱(２)の係止孔(４)に係合可能な３個の係止爪(18)を有する短寸の係合片(17b)とからなる平面視Ｔ字状の連結金具(17)が使用される。
【００３１】
この実施形態の安全柵を組立てるには、中央の支柱(２)における１８０°対向する上下の係止孔(４)に（上下同一構造につき、下方は図示略）、各パネル支持杆(10)の左端に固着した第１の係止部材をなす係止金具(11)の係止爪(14)と、各パネル支持杆(10)の右端に固着した第２の係止部材をなす係止金具(11)の係止爪(14)とを係合させるとともに、Ｔ字状の連結金具(17)の係止爪(18)を、上記両係止孔(４)との間の内方側の係止孔(４)に係合させ、かつ同時に、左右の係止金具(11)の係合溝(13)(12)と、連結金具(17)における左右の係合溝(15)(16)とを互いに直交状に係合させる。
【００３２】
各パネル支持杆(10)の外側の端部の支柱(２)への連結は、上記第１の実施形態と同様、単体の係止金具(11)を用いて行う。
【００３３】
これにより、各パネル支持杆(10)は、上記実施形態と同様、その両側端部が、３個の支柱(２)に強固に連結され、上下のパネル支持杆(10)に防護パネル(３)の取付金具(９)を係止することにより、直列状の安全柵が形成される。
【００３４】
以上説明したように、上記実施形態を適用して形成された安全柵においては、パネル支持杆(10)を支柱(２)に強固に連結しうるので、従来のように、ねじ等を用いる必要がなく、組立作業を簡単に行いうるとともに、容易に分解して設置場所を変更することができる。
【００３５】
また、円筒形の支柱(２)の外周面に、４列の係止孔(４)を、円周方向に９０°の間隔を設けて列設してあるため、それらを適宜選択して防護パネル(３)を順次連結することにより、使用目的に応じて、例えば図６及び図７に略示するような平面形の安全柵を形成することができる。
【００３６】
本発明は、上記実施形態に限定されるものではない。
上記実施形態では、パネル支持杆(10)を係止金具(11)を介して支柱(２)に連結し、そのパネル支持杆(10)に防護パネル(３)を係止して取付けているが、係止金具(11)の短寸の係合片(11b)の外面を、直接防護パネル(３)の枠状フレーム(７)の内面に、溶接又はねじ等により固定し、パネル支持杆(10)と取付金具(９)とを廃止するようにしてもよい。
【００３７】
図４及び図５の第２の実施形態において、右方の係止金具(11)における係合溝(12)を、左方の係止金具(11)と同形状の、下方が開口する係合溝(13)とするとともに、連結金具(17)の右方の係合溝(16)を、左方と同じ上方が開口する係合溝(15)とし、連結金具(17)の両係合溝(15)に、左右の係止金具(11)の係合溝(13)を上方より係合させるようにしてもよい。
【００３８】
防護パネル(３)は、鋼板、パンチングメタル、合成樹脂パネル、ガラスパネル等を用いることもある。
【００３９】
支柱(２)の係止孔(４)は、円周方向に９０°以外の間隔（例えば６０°や１２０°）を設けて穿設することもある。
【００４０】
本発明は、上記安全柵の外、間仕切や衝立て、陳列棚等における円筒状支柱と被取付部材との連結にも適用することができる。
【００４１】
【発明の効果】
請求項１記載の発明によれば、被取付部材が固着された第１の係止部材と第２の係止部材とを互いに係合させた状態で支柱に強固に、かつ簡単に連結することができるので、溶接やねじ等の固着手段を用いる必要はなく、組立や分解作業を極めて容易に行いうる。
【００４２】
請求項２記載の発明によれば、第１、第２の係止部材同士を強固に係合させうるので、両方の係止部材に、被取付部材の一側端を平面視直角をなすように固着した際においても、被取付部材がぐら付いたりすることはない。
また、支柱の各列の係止孔を適宜選択することにより、複数の被取付部材を、１個の支柱に９０°ずつ放射状に連結したり、種々の形状に順次連結したりすることができる。
【００４３】
請求項３記載の発明によれば、互いに対向するように支柱に係合した係止部材同士を、１個の連結部材により強固に連結することができる。
また、請求項２の連結構造と併用することにより、被取付部材の連結形態を拡げることができる。
【００４４】
請求項４記載の発明によれば、第１、第２の係止部材のいずれか一方または連結部材を上方より落とし込むだけで、係合溝同士を簡単に係合させることができる。
【００４５】
請求項５記載の発明によれば、支持杆の両端が両支柱に強固に連結されるので、支持杆にパネル等を安定的に支持させることができる。
【００４６】
請求項６記載の発明によれば、各構成部材を、溶接やねじ等の固着手段を用いることなく、簡単かつ強固に組み付けることができるとともに、容易に分解することのできる安全柵を提供することができる。
【図面の簡単な説明】
【図１】本発明の第１の実施形態を適用して組立てられた安全柵の斜視図である。
【図２】同じく、中央の支柱における防護パネル連結部の拡大横断平面図である。
【図３】同じく、中央の支柱への防護パネルの連結部の分解斜視図である。
【図４】本発明の第２の実施形態を適用して組立てられた安全柵の要部の斜視図である。
【図５】同じく、中央の支柱における防護パネル連結部の分解斜視図である。
【図６】本発明を適用して形成された安全柵の変形例を示す概略平面図である。
【図７】同じく、安全柵の他の変形例を示す概略平面図である。
【符号の説明】
(１)安全柵
(２)支柱
(３)防護パネル
(４)係止孔
(５)アジャスタ
(６)キャップ
(７)枠状フレーム
(８)防護ネット
(９)取付金具
(9a)上向片
(9b)水平片
(9c)下向片
(10)パネル支持杆
(11)係止金具（係止部材）
(11a)(11b)係合片
(12)(13)係合溝(係合部)
(14)係止爪
(15)(16)係合溝(係合部)
(17)連結金具
(17a)係合基片
(17b)係合片
(18)係止爪
【図１】
0003969575.tif 000002
【図２】
0003969575.tif 000003
【図３】
0003969575.tif 000004
【図４】
0003969575.tif 000005
【図５】
0003969575.tif 000006
【図６】
0003969575.tif 000007
【図７】
0003969575.tif 000008